(57)【要約】【課題】  カチオン界面活性剤の殺菌活性（速効性）を低下することなく、起泡性や使用感に優れた殺菌洗浄剤組成物を提供する。【解決手段】  次の成分（Ａ）、（Ｂ）及び（Ｃ）；（Ａ）ノニオン界面活性剤（Ｃ成分を除く）（Ｂ）一般式（１）または（２）で表されるカチオン界面活性剤【化１】2006249124.tif 000017【化２】2006249124.tif 000018（Ｃ）炭素数４〜１２のアルキル基またはアルケニル基を有するグリセリルエーテル又はジグリセリルエーテルを含有する殺菌洗浄剤組成物。【選択図】  なし【特許請求の範囲】
【請求項１】
次の成分（Ａ）、（Ｂ）及び（Ｃ）；
（Ａ）ノニオン界面活性剤（Ｃ成分を除く）
（Ｂ）一般式（１）または（２）で表されるカチオン界面活性剤
【化１】
2006249124.tif 000012
（式中、Ｒ1 及びＲ2 は同一又は異なって、各炭素数６〜１４で合計炭素数１６〜２６の長鎖アルキル基、長鎖アルケニル基又は長鎖ヒドロキシアルキル基を示し、Ｒ3 及びＲ4 は同一又は異なって、炭素数１〜３のアルキル基、ヒドロキシアルキル基又は平均付加モル数１０以下のポリオキシエチレン基を示し、Ｚはハロゲン原子、アミノ酸、脂肪酸、炭素数１〜３０の直鎖若しくは分岐鎖のアルキル基若しくはアルケニル基を有するリン酸エステル、ホスホン酸エステル、スルホン酸エステル若しくは硫酸エステルのアニオン残基、又は重合度３以上のスチレンスルホン酸を有するか若しくは置換基として炭化水素基を有することがある多環式芳香族化合物のスルホン化物のホルマリン縮合物を含有するアニオン性オリゴマー若しくはポリマーを示す）
【化２】
2006249124.tif 000013
（式中、Ｒ5 は炭素数８〜１４の炭化水素基又は
【化３】
2006249124.tif 000014
で表わされる基を示し、Ｚは前記と同じ意味を示す）
（Ｃ）炭素数４〜１２のアルキル基またはアルケニル基を有するグリセリルエーテル又はジグリセリルエーテル
を含有する殺菌洗浄剤組成物。
【請求項２】
（Ａ）ノニオン界面活性剤が、アルキルポリグリコシド、ポリオキシエチレンアルキルエーテル、ポリオシキエチレンアルキレンエーテル、ポリオキシエチレンソルビタン脂肪酸エステル、ポリオキシエチレンソルビット脂肪酸エステル、ショ糖脂肪酸エステル及びアルキルポリグリセリンエーテルから選ばれる請求項１記載の殺菌洗浄剤組成物。
【請求項３】
更に、（Ｄ）カチオン性基含有ビニル単量体の少なくとも１種と、一般式（３）又は（４）
【化４】
2006249124.tif 000015
〔式中、Ｒ11は水素原子又はメチル基を示し、Ｒ12及びＲ13は同一又は異なって、水素原子又は炭素数１〜４の直鎖もしくは分岐鎖のアルキル基もしくはアルケニル基を示す。〕
【化５】
2006249124.tif 000016
〔式中、Ｒ11は前記と同じ意味を示し、Ａ1 及びＡ2 は同一又は異なって、式-(CH2)n-（ｎは２〜６の整数を示す）で表される基を示し、Ｂは-O-又は-CH2-基を示す。〕で表される親水性ノニオン性基含有ビニル単量体の少なくとも１種と、２個以上のビニル基を分子中に有する架橋性ビニル単量体の少なくとも１種とを必須構成単量体とし、ラジカル重合することにより得られるカチオン性基含有共重合体
を含有する請求項１または２記載の殺菌洗浄剤組成物。
【請求項４】
更に、（Ｅ）金属キレート剤を含有する請求項１〜３のいずれか１項記載の殺菌洗浄剤組成物。
【請求項５】
（Ｂ）のカチオン界面活性剤が一般式（２）で表されるベンザルコニウム塩から選ばれる請求項１〜４のいずれか１項記載の殺菌洗浄剤組成物。
【発明の詳細な説明】
【技術分野】
【０００１】
本発明は、カチオン界面活性剤の殺菌活性が低下することなく、かつ起泡性や使用感に優れた殺菌洗浄剤組成物に関する。
【背景技術】
【０００２】
カチオン系殺菌剤は抗菌スペクトルが広く、速効的な効力を有することから、衛生分野などで広く使用されている。そして、このようなカチオン系殺菌剤と界面活性剤を組合わせ、殺菌効果とともに洗浄効果を有する殺菌消毒洗浄剤も知られている。
【０００３】
しかしながら、界面活性剤としてアニオン性界面活性剤を使用した場合や、タンパク等の陰イオン電荷を有する物質の存在下においては、カチオン系殺菌剤の活性は大幅に低下してしまうという問題があった。かかる活性低下を防止する方法としては、カチオン系殺菌剤を高分子非イオン活性剤やpH感応型ポリマーでコートする方法、カチオン系殺菌剤を大過剰添加する方法等が採用されている。ところが、前者のポリマーによるコート法ではカチオン系殺菌剤の活性が低下してしまい、一方カチオン系殺菌剤を過剰量用いる方法は経済的に好ましくない。
【０００４】
界面活性剤として従来のノニオン界面活性剤又はカチオン界面活性剤を使用した場合は、殺菌活性に優れるが、起泡性や使用感が劣る。また、起泡性や感触を向上させるために、アニオン界面活性剤や両性界面活性剤を加えると殺菌活性が低下する。
【０００５】
カチオン系殺菌剤にノニオン又は両性界面活性剤とキレート剤を加える方法が知られている（特許文献１）が、殺菌活性が不十分であった（大腸菌や緑膿菌といったグラム陰性菌には良好だが、黄色ブドウ球菌などグラム陽性菌に効果弱い）。
一方、特許文献２には、アルキルポリグリコシドなどにグリセリルエーテルを加えることにより、衣類などの洗浄性が向上することが記載されているが、殺菌洗浄剤への応用は記載されていない。
また、抗菌剤とアニオン界面活性剤とグリセリルエーテルの組合せにより、起泡性が良好で、抗フケなどの抗菌効果を示すことが知られている（特許文献３）が、速効的効果が不十分である。
【特許文献１】特開平７−５３９９５号公報
【特許文献２】特開平４−２９２６９７号公報
【特許文献３】特開２００１−１３１５９２号公報
【発明の開示】
【発明が解決しようとする課題】
【０００６】
本発明の目的は、カチオン界面活性剤の殺菌活性（速効性）を低下することなく、起泡性や使用感に優れた殺菌洗浄剤組成物を提供することにある。
【課題を解決するための手段】
【０００７】
本発明は、次の成分（Ａ）、（Ｂ）及び（Ｃ）
（Ａ）ノニオン界面活性剤（Ｃ成分を除く）
（Ｂ）一般式（１）または（２）で表されるカチオン界面活性剤
【化１】
2006249124.tif 000002
（式中、Ｒ1 及びＲ2 は同一又は異なって、各炭素数６〜１４で合計炭素数１６〜２６の長鎖アルキル基、長鎖アルケニル基又は長鎖ヒドロキシアルキル基を示し、Ｒ3 及びＲ4 は同一又は異なって、炭素数１〜３のアルキル基、ヒドロキシアルキル基又は平均付加モル数１０以下のポリオキシエチレン基を示し、Ｚはハロゲン原子、アミノ酸、脂肪酸、炭素数１〜３０の直鎖若しくは分岐鎖のアルキル基若しくはアルケニル基を有するリン酸エステル、ホスホン酸エステル、スルホン酸エステル若しくは硫酸エステルのアニオン残基、又は重合度３以上のスチレンスルホン酸を有するか若しくは置換基として炭化水素基を有することがある多環式芳香族化合物のスルホン化物のホルマリン縮合物を含有するアニオン性オリゴマー若しくはポリマーを示す）
【０００８】
【化２】
2006249124.tif 000003
【０００９】
（式中、Ｒ5 は炭素数８〜１４の炭化水素基又は
【００１０】
【化３】
2006249124.tif 000004
【００１１】
で表わされる基を示し、Ｚは前記と同じ意味を示す）
（Ｃ）炭素数４〜１２のアルキル基またはアルケニル基を有するグリセリルエーテル又はジグリセリルエーテル
を含有する殺菌洗浄剤組成物に関する。
【発明の効果】
【００１２】
本発明によれば、速効性および殺菌スペクトルに優れた殺菌活性を有し、かつ起泡性や使用感に優れた、殺菌洗浄剤組成物が得られる。
【発明を実施するための最良の形態】
【００１３】
以下に本発明に用いられる各成分について説明する。
Ａ．ノニオン界面活性剤（Ｃ成分以外）
ノニオン界面活性剤としては、例えばポリオキシエチレンアルキルエーテル、ポリオキシエチレンアルキレンエーテル、ポリオキシエチレンソルビタン脂肪酸エステル、ポリオキシエチレンソルビット脂肪酸エステル、アルキルポリグリコシド、ショ糖脂肪酸エステル、アルキルポリグリセリンエーテル等が挙げられる。これらの中で、アルキルポリグリコシド、又はポリオキシエチレンアルキルエーテルが好ましく、特にアルキルポリグリコシドが好ましい。
ノニオン界面活性剤の配合量は、起泡性および経済性の観点から、殺菌洗浄剤組成物の１〜５０重量％、更に５〜３０重量％、特に５〜２０重量％が好ましい。
【００１４】
Ｂ．カチオン界面活性剤
一般式（１）中、Ｒ1 及びＲ2 としては炭素数８〜１２のアルキル基が好ましく、Ｒ3 及びＲ4 としては、炭素数１〜３のアルキル基が好ましい。一般式（２）中、Ｒ5 としては、炭素数８〜１４の炭化水素基が好ましい。また、一般式（１）及び（２）中のＺとしては、ハロゲン原子が特に好ましい。
【００１５】
カチオン界面活性剤の好適なものの具体例としては、塩化アンモニウム、塩化ベンザルコニウム、塩化ベンゼトニウム等が挙げられ、特に一般式（２）で表わされるもの、例えば塩化ベンザルコニウム、塩化ベンゼトニウムが好ましい。
【００１６】
成分（Ｂ）を用いることにより高い殺菌効果を得ることができる。成分（Ｂ）は、殺菌洗浄剤組成物中に０．００５〜５重量％、特に０．１〜４重量％、更に０．４〜３重量％配合するのが、十分な抗菌効果が得られるので好ましい。
【００１７】
Ｃ．グリセリルエーテル
成分（Ｃ）のグリセリルエーテルは、炭素数４〜１２の直鎖又は分岐鎖のアルキル基又はアルケニル基を有するもので、例えばｎ−ブチル基、イソブチル基、ｔｅｒｔ−ブチル基、ｎ−ペンチル基、イソペンチル基、ｎ−ヘキシル基、イソヘキシル基、ｎ−ヘプチル基、ｎ−オクチル基、２−エチルヘキシル基、ｎ−ノニル基、ｎ−デシル基、ｎ−ラウリル基等の炭素数４〜１２のアルキル基を有するものが好ましく、特に炭素数４〜１１、更に炭素数６〜１０、就中炭素数８のアルキル基を１又は２個、特に１個有するのが好ましい。
【００１８】
成分（Ｃ）のグリセリルエーテルは、１種以上を用いることができ、殺菌洗浄剤組成物中に０．１〜３０重量％、特に０．５〜１５重量％、更に１〜１０重量％配合するのが、泡性能に優れるので好ましい。
【００１９】
Ｄ．カチオン性基含有共重合体
本発明の殺菌洗浄剤組成物は、更に使用感向上の観点からカチオン性基含有共重合体を含有することができる。該カチオン性基含有共重合体としては、例えば、カチオン性基含有ビニル単量体（以下、単量体（ｄ1））の少なくとも１種と、一般式（３）又は（４）
【００２０】
【化４】
2006249124.tif 000005
【００２１】
〔式中、Ｒ11 は水素原子又はメチル基を示し、Ｒ12及びＲ13は同一又は異なって、水素原子又は炭素数１〜４の直鎖もしくは分岐鎖のアルキル基もしくはアルケニル基を示す。〕
【００２２】
【化５】
2006249124.tif 000006
【００２３】
〔式中、Ｒ11は前記と同じ意味を示し、Ａ1 及びＡ2 は同一又は異なって、式-(CH2)n-（ｎは２〜６の整数を示す）で表される基を示し、Ｂは-O-又は-CH2-基を示す。〕で表される親水性ノニオン性基含有ビニル単量体（以下、単量体（ｄ2））の少なくとも１種と、２個以上のビニル基を分子中に有する架橋性ビニル単量体（以下、単量体（ｄ3））の少なくとも１種とを必須構成単量体とし、ラジカル重合することにより得られるカチオン性基含有共重合体（以下、共重合体（Ｄ1））が挙げられる。
【００２４】
共重合体（Ｄ1）を構成する単量体のうち、単量体（ｄ1）としては、ジアルキルアミノ基を有する（メタ）アクリル酸エステル又は（メタ）アクリルアミド類、（メタ）アクロイルアルキルトリアルキル４級アンモニウム塩類、ジアルキルアミノ基を有するスチレン類、ビニルピリジン類、Ｎ−ビニル複素環化合物類、アミノ基を有する単量体の酸中和物あるいは４級アンモニウム塩、ジアリル型４級アンモニウム塩などが挙げられる。
【００２５】
これらの単量体（ｄ1）のうち、一般式（５）又は（６）で表わされる化合物が好ましい。
【００２６】
【化６】
2006249124.tif 000007
【００２７】
〔式中、Ｒ11は前記と同じ意味を示し、Ｒ14及びＲ15は同一又は異なって、炭素数１〜４のアルキル基又はアルケニル基を示し、Ｒ16 は水素原子又は炭素数１〜４のアルキル基を示し、Ｙは-O-、-NH-、-CH2- 又は-O-CH2CH(OH)-基を示し、Ｗは炭素数１〜４（ただしＹが-CH2- のときは炭素数０〜３）の直鎖又は分岐鎖のアルキレン基を示し、Ｘは酸の共役塩基、ハロゲン原子又は炭素数１〜４のアルキルサルフェート基を示す。〕
【００２８】
【化７】
2006249124.tif 000008
【００２９】
〔式中、Ｒ17及びＲ18 は同一又は異なって、水素原子又はメチル基を示し、Ｒ19及びＲ20は同一又は異なって、水素原子又は炭素数１〜４のアルキル基を示し、Ｘは前記と同じ意味を示す。〕
【００３０】
一般式（５）又は（６）の化合物の塩を得るために用いる好ましい酸としては、塩酸、硫酸、酢酸、クエン酸、コハク酸、アジピン酸、スルファミン酸などが挙げられ、４級アンモニウム塩を得るための好ましい４級化剤としては、塩化メチル、ヨウ化メチル等のハロゲン化アルキル、硫酸ジエチル、硫酸ジ−ｎ−プロピル等が挙げられる。
【００３１】
単量体（ｄ1）の好ましい具体例としては、ジメチルアミノエチル（メタ）アクリレート、ジエチルアミノエチル（メタ）アクリレート、ジメチルアミノプロピル（メタ）アクリルアミド、ジエチルアミノプロピル（メタ）アクリルアミドを前記の４級化剤で４級化した４級アンモニウム塩、あるいはジメチルジアリルアンモニウムクロライド等が挙げられる。
【００３２】
単量体（ｄ2）としては、Ｎ−メチル（メタ）アクリルアミド、Ｎ，Ｎ−ジメチル（メタ）アクリルアミド、Ｎ，Ｎ−ジエチル（メタ）アクリルアミド、Ｎ−ｎ−プロピル（メタ）アクリルアミド、Ｎ−ｔ−ブチルアクリルアミド、Ｎ−（メタ）アクロイルモルホリン等が挙げられる。これらのうち、Ｎ，Ｎ−ジ置換アクリルアミドを用いた場合に使用感が好ましく、さらにはＮ，Ｎ−ジメチル（メタ）アクリルアミド、Ｎ，Ｎ−ジエチル（メタ）アクリルアミド等が、特に好ましい。
【００３３】
単量体（ｄ3）としては、多価アルコール又は不飽和アルコールの（メタ）アクリル酸エステル、アクリルアミド、ジビニル化合物、ポリアリル化合物等が挙げられる。これらのうち、エチレングリコールジ（メタ）アクリレート、ポリエチレングリコールジ（メタ）アクリレート、ペンタエリスリトールテトラ（メタ）アクリレート、ペンタエリスリトールのアリルエーテル化体、ビニル（メタ）アクリレート、アリル（メタ）アクリレート等が、特に好ましい。
【００３４】
単量体（ｄ1）と単量体（ｄ2）との好ましい配合比率は、（ｄ1）／（ｄ2）のモル比で、２／９８〜９８／２であり、さらに好ましくは３／９７〜６０／４０である。上記モル比が小さい場合はチキソトロピー性の発現が、モル比が大きい場合は低シェアレート時の粘度保持が夫々容易となるが、両特性発現には上記範囲内である方が好ましい。
【００３５】
単量体（ｄ3）の割合は、単量体全量に対して０．００２〜５重量％が好ましく、０．００２重量％以上０．１重量％未満が特に好ましい。単量体（ｄ3）の割合が０．００２重量％以上であれば、共重合体（Ｄ1）から形成されるハイドロゲルの粘度が十分であり、また５重量％以下であれば、ハイドロゲルの感触は柔らかく、すべりの良いものとなる。
【００３６】
共重合体（Ｄ1）は、必須構成単位である前記の３種類のビニル単量体のそれぞれ１種以上の他、これらと共重合可能な他のビニル単量体を構成成分とすることができる。他のビニル単量体としては、例えばメチル（メタ）アクリレート、エチル（メタ）アクリレート等の（メタ）アクリル酸誘導体；アクリル酸、メタアクリル酸等のアニオン性基含有単量体；Ｎ−（３−スルホプロピル）−Ｎ−アクリロイルオキシエチル−Ｎ，Ｎ−ジメチルアンモニウムベタイン、Ｎ−カルボキシメチル−Ｎ−メタクリロイルオキシエチル−Ｎ，Ｎ−ジメチルアンモニウムベタイン等のベタイン類などが挙げられる。
【００３７】
共重合体（Ｄ1）を製造する方法は、水溶液重合法、逆相懸濁重合法、沈澱重合法などが好ましい。例えば、特開平４−２３０２５０号公報第１２頁第２２欄第２８〜３４行に記載のような水溶液重合法を用いる場合、重合開始温度２０〜９０℃、反応時間１〜１０時間程度で行うのが好ましい。
【００３８】
重合開始剤としては、特開平４−２３０２５０号公報第１２頁第２２欄第４６行〜第１３頁第２３欄第１８行のような、アゾビス系化合物が単独で、あるいは還元剤と組合せて用いられる。
【００３９】
共重合体（Ｄ1）の水溶液重合法による製造には、例えば特開昭５３−３４１０１号公報第３頁右上欄第１４行〜同右下欄第８行記載の、回転する攪拌腕を有する容器が用いられる。
【００４０】
上記カチオン性基含有共重合体は、１種以上を用いることができ、殺菌洗浄剤組成物中に０．１〜７０重量％、特に１〜５０重量％、さらに１０〜３０重量％配合するのが、使用感及びリンス効果の点で好ましい。
【００４１】
Ｅ．キレート剤
本発明の殺菌洗浄剤組成物には、更に（Ｅ）金属キレート剤を配合でき、抗菌効果をより高めることができる。金属キレート剤としては、金属イオンをキレートする能力を有するものであれば特に制限されず、例えばアミノポリカルボン酸系キレート剤、芳香族及び脂肪族カルボン酸系キレート剤、アミノ酸系キレート剤、エーテルポリカルボン酸系キレート剤、ホスホン酸系キレート剤、ヒドロキシカルボン酸系キレート剤、リン酸系キレート剤、高分子電解質（オリゴマー電解質を含む）系キレート剤、ジメチルグリオキシム（ＤＧ）などが挙げられる。これらのキレート剤は、それぞれフリーの酸型であっても、ナトリウム塩、カリウム塩、アンモニウム塩等の塩であってもよく、更に、加水分解可能なエステル誘導体であってもよい。
【００４２】
アミノポリカルボン酸系キレート剤の具体例としては、
ａ）化学式 R21(Y)2で表わされる化合物、
ｂ）化学式 N(Y)3で表わされる化合物、
ｃ）化学式 R21-N(Y)-CH2CH2-N(Y)-R21で表わされる化合物、
ｄ）化学式 R21-N(Y)-CH2CH2-N(Y)2で表わされる化合物、
ｅ）化学式 (Y)2N-R22-N(Y)2で表わされる化合物、及び
ｆ）ｅ）の化合物に類似する化合物で、Ｙを４以上含む化合物、例えば式
【００４３】
【化８】
2006249124.tif 000009
【００４４】
で表わされる化合物が挙げられる。
【００４５】
上記式中、Ｙは-CH2COOH又は-CH2CH2COOHを示し、Ｒ21は水素原子、アルキル基、水酸基、ヒドロキシアルキル基等の公知のキレート剤を構成する基を示し、Ｒ22は、アルキレン基、シクロアルキレン基等、この種の公知のキレート剤を構成する基を示す。
【００４６】
アミノポリカルボン酸系キレート剤の代表例としては、エチレンジアミンテトラ酢酸（ＥＤＴＡ）、シクロヘキサンジアミンテトラ酢酸（ＣＤＴＡ）、ニトリロトリ酢酸（ＮＴＡ）、イミノジ酢酸（ＩＤＡ）、Ｎ−（２−ヒドロキシエチル）イミノジ酢酸（ＨＩＭＤＡ）、ジエチレントリアミンペンタ酢酸（ＤＴＰＡ）、Ｎ−（２−ヒドロキシエチル）エチレンジアミントリ酢酸（ＥＤＴＡ−ＯＨ）、グリコールエーテルジアミンテトラ酢酸（ＧＥＤＴＡ）、及びこれらの塩類が挙げられる。
【００４７】
芳香族又は脂肪族カルボン酸系キレート剤としては、例えばシュウ酸、マロン酸、コハク酸、グルタール酸、アジピン酸、イタコン酸、アコニット酸、ピルビン酸、サリチル酸、フマル酸、アセチルサリチル酸、ヒドロキシ安息香酸、アミノ安息香酸（アントラニル酸を含む）、フタル酸、トリメリット酸、没食子酸、並びにこれらの塩類、メチルエステル類及びエチルエステル類が挙げられる。また、アミノ酸系キレート剤としては、例えばグリシン、セリン、アラニン、リジン、シスチン、システイン、エチオニン、チロシン、メチオニン及びこれらの塩類、誘導体が挙げられる。
【００４８】
エーテルポリカルボン酸系キレート剤としては、例えばジグリコール酸、次式で表わされる化合物、その類似化合物及びその塩（例えばナトリウム塩）類が挙げられる。
【００４９】
【化９】
2006249124.tif 000010
【００５０】
ホスホン酸系キレート剤としては、例えばイミノジメチルホスホン酸（ＩＤＰ）、アルキルジホスホン酸（ＡＤＰＡ）、１−ヒドロキシエタン−１，１−ジホスホン酸（ＤＥＱＵＥＳＴTM２０１０）等が挙げられる。ヒドロキシカルボン酸系キレート剤としては、例えばリンゴ酸、クエン酸、グリコール酸、グルコン酸、ヘプトン酸、酒石酸、乳酸及びこれらの塩類が挙げられる。また、リン酸系キレート剤としては、例えばオルトリン酸、ピロリン酸、トリリン酸及びポリリン酸が挙げられる。
【００５１】
高分子電解質（オリゴマー電解質を含む）系キレート剤としては、例えばアクリル酸重合体、無水マレイン酸重合体、α−ヒドロキシアクリル酸重合体、イタコン酸重合体、これらの重合体の構成モノマー２種以上からなる共重合体及びエポキシコハク酸重合体が挙げられる。更に、アスコルビン酸、チオグリコール酸、フィチン酸、グリオキシル酸及びグリオキサール酸、並びにそれらの塩類も、キレート剤として好適に用いることができる。
【００５２】
好ましい金属キレート剤としては、エチレンジアミンテトラ酢酸（ＥＤＴＡ）、コハク酸、サリチル酸、シュウ酸、乳酸、フマル酸、酒石酸、１−ヒドロキシエタン−１，１−ジホスホン酸及びそれらの塩が挙げられる。
【００５３】
金属キレート剤は、１種以上を用いることができ、殺菌洗浄剤組成物中に０．１〜１０重量％、特に０．２〜５重量％配合するのが好ましい。
【００５４】
本発明の殺菌洗浄剤組成物のｐＨは特に限定されないが、水で20重量倍に希釈したときの水溶液のpH（25℃）が２〜１０、特に４〜８が好ましい。ｐＨは、酸又はアルカリを加えて調整すればよい。
【００５５】
本発明の殺菌洗浄剤組成物には、殺菌活性を損なわない範囲で、更に、グリセリン、保湿剤、（Ｄ）成分以外のカチオン性ポリマー、多糖類、ポリペプタイド、パール化剤、溶剤、液晶形成基剤、色素、香料、噴射剤、pH調整剤、防腐剤、抗フケ剤等を、適宜配合することができる。溶剤としは、エタノール、イソプパノール、プロピレングリコール、ジプロピレングリコール、ポリプロピレングリコール、１．３ブタンジオール、エチルカルビトールなどが挙げられる。本発明の殺菌洗浄剤は、常法に従って、水溶液、エタノール溶液、エマルション、サスペンション、ゲル、液晶、固形、エアゾールフォーム、スプレー等の所望の剤型にすることができる。
【００５６】
殺菌洗浄剤組成物としては、ハンドソープ、ヘアシャンプー、ボディシャンプー、洗顔料等の製品とすることができる。
【実施例】
【００５７】
本発明を、下記の実施例により更に具体的に説明する。
実施例１
表１に示す組成のハンドソープを用いて手を洗浄し、起泡性、使用感（洗浄時、すすぎ時、およびタオルドライ後）について、１０名の専門パネラーにより、下記の基準に従って評価した。
４：非常に良好，３：良好，２：どちらともいえない，１：悪い
10名の評価の平均点を求め、3.5以上を◎、2.5〜3.4を○、1.5〜2.4を△、1.4以下を×とし、表１に示す。
更に表１に示す組成のハンドソープについて、次の殺菌試験法で殺菌活性を調べた。
殺菌試験法は、各種配合剤の希釈系剤を作り、被験菌（Ｅｓｃｈｅｒｉｃｈｉａ ｃｏｌｉ ＩＦＯ ３９７２、Ｓｔａｐｈｙｌｏｃｏｃｃｕｓ  ａｕｒｅｕｓ）を接種し、１００％殺菌する濃度と時間を求めた。すなわちＳＣＤ培地（日本製薬（株）製）に前培養した菌（約１０9 〜１０10cell／ml）を０．１ml取り、滅菌蒸留水で所定の濃度（殺菌剤濃度１，５，１０，２５，５０，７５，１００，２００，３００，５００ppm ）に希釈した液１０mlに接種し、室温にて作用させた。一定時間（５，１０，１５，３０分）毎に菌接触液を一白金耳量採取し、後培養用ＳＣＤ培地０．３mlの入ったミクロシャーレ（ＣＯＲＮＩＮＧ社製，９６−Ｃｅｌｌ Ｗｅｌｌｓ）へ接種した。３０℃３日間培養し、菌の発育を肉眼で観察し、効果の強度を殺菌エリア数で判定した。すなわち、ミクロプランター上で菌の生育していない箇所を測定することで判定した（最大４０）。得られた結果を表１に示す。
【００５８】
【表１】
2006249124.tif 000011
【００５９】
実施例２
下記組成のボディシャンプーを製造した。
（成分）                                              （重量％）
ポリオキシエチレンラウリルエーテル（平均ＥＯ：５．０）  13.0
塩化ベンザルコニウム（C12/C14=50/50重量比）              0.5
ｎ−オクチルグリセリルエーテル                           3.0
コハク酸２ナトリウム                                     0.76
ソルビトール                                             5.0
メチルパラベン                                           適量
香料                                                     適量
精製水                                                バランス
計                                          100.0
このボディシャンプーは、起泡力が良好で、殺菌活性に優れていた。
【００６０】
実施例３
下記組成のシャンプーを常法に従い製造した。
（成分）                                             （重量％）
アルキルポリグルコシド＊                               15.0
セチルリン酸化ベンザルコニウム（C12/C14=50/50重量比）   1.0
２−エチルヘキシルグリセリルエーテル                    2.0
カチオン性基含有共重合体＊＊                            0.2
コハク酸２ナトリウム                                    0.5
ポリエチレングリコール（平均分子量１５００）            0.5
香料                                                   適量
精製水                                              バランス
計                                             100.0
*：マイドール１２（花王（株）製）（アルキル基；Ｃ12及びC14）
**：特開２０００−１４３４６３号公報記載のカチオン性基含有共重合体No６．であるＮ，Ｎ−ジメチルアミノエチルメタクリル酸ジエチル硫酸塩・Ｎ，Ｎ−ジメチルアクリルアミド・ジメタクリル酸ポリエチレングリコール共重合体
このシャンプーは、使用感が良好で、殺菌活性に優れていた。